(57)【要約】      （修正有）【課題】展示パネルや写真パネル等を起立展示する場合に起立角度を変えられ、しかも、簡単で、便利で、経済的に使用できるパネル起立補助具を提供する。【解決手段】本体の左側面３と右側面４に複数の左右の対応する差し込みスリット３ａ，３ｂ，３ｃ，４ａ，４ｂを設けてあり、脚面２の角度を替えて固定できるため、展示パネルや写真パネル等５の起立角度を変えて展示することができる。形状は一枚紙を切り抜いた板紙でできており、屈曲して差し込むだけの簡単な構造であるので、丈夫で組立てが簡単で、安価に提供できるものとなる。しかも非使用時には、本体は左側面３と右側面４と脚面２を折り畳むことで、コンパクトになる。【選択図】図１
0003188974.tif 000002
【実用新案登録請求の範囲】
【請求項１】
一枚紙を切り抜いた板紙で、接合面と左側面と右側面と脚面の四つの面で構成され、各面の配置は、接合面の上部に折り目Ａを介して脚面、接合面の左右に折り目Ｂ・Ｃを介して左側面と右側面を配置している。
接合面には展示パネルや写真パネル等を固定するための接着機能を有し、左側面と、右側面には、組み立てたときに、左右の対応する複数の差し込みスリットを同じ高さになるように配置し、脚面の左右中央部には差し込み突起部を備え、組み立て時に差し込み突起部を挿入する左右の側面の差し込みスリットを選択することにより、接合面に接着される展示パネルや写真パネル等の起立角度を調整できるようにしたことを特徴とするパネル起立補助具。
【請求項２】
脚面２に差し込み突起部２ｃを設け、接合面１の差し込みスリット１ｃへと差し込めるようにすることで、本体が展示パネル５の裏面にコンパクトに固定化して収まるようにしたことを特徴とする請求項１記載のパネル起立補助具。
【考案の詳細な説明】
【技術分野】
【０００１】  この考案は、展示パネルや写真パネル等を起立展示する場合に用いる、パネルの裏面に貼り合わせて、起立角度を変えられる仕組みを有したパネル起立補助具に関する。
【背景技術】
【０００２】  従来のパネル起立補助具は起立角度が固定式である。
【先行技術文献】
【特許文献】
【０００３】
【特許文献１】意匠登録第１１６６９９７号公報
【考案の概要】
【考案が解決しようとする課題】
【０００４】  これらは、次のような問題点があった。
従来のスタンドは、パネルを立てる角度が固定式であるため、設置場所（高低）の違いによってはパネルが見づらい場合があった。
角度を変えるものもあるが、構造が複雑で、強度にも難点がみられ、しかも紙取り（面積）が大きいのでコスト高であった。
本考案は、以上のような欠点を解決し、簡単で、便利で、経済的に使用できるように考えたものである。
【課題を解決するための手段】
【０００５】  一枚紙を切り抜いた板紙で、四つの面（接合面・左側面・右側面・脚面）で構成され、各面の配置は、接合面の上部に折り目Ａを介して脚面、接合面の左右に折り目Ｂ・Ｃを介して左側面と右側面を配置している。
接合面には展示パネルや写真パネル等を固定するための接着機能を有し、左側面と、右側面には、組み立てたときに、左右の対応する複数の差し込みスリットを同じ高さになるように配置し、脚面の左右中央部には差し込み突起部を備え、組み立て時に差し込み突起部を挿入する左右の側面の差し込みスリットを選択することにより、接合面に接着される展示パネルや写真パネル等の起立角度を調整できるようにしたことを特徴とするパネル起立補助具。【０００６】  脚面２に差し込み突起部２ｃを設け、接合面１の差し込みスリット１ｃへと差し込めるようにすることで、本体が展示パネル５の裏面にコンパクトに固定化して収まるようにしたことを特徴とする請求項１記載のパネル起立補助具。
【考案の効果】
【０００７】  本考案のパネル起立補助具は、起立角度を変える事ができるので、パネル等を起立展示する場合に、設置場所（高低）が異なる場所でも視認性が向上します。
形状の簡素化により、丈夫で組立てが簡単である。
非使用時には、折り畳んでコンパクトに収まるので、梱包・発送や保管時の取回しが容易に成りたつ。
本体は一枚紙を切り抜いた板紙なので低コストで提供できる効果がある。
【図面の簡単な説明】
【０００８】
【図１】本考案のパネル起立補助具の使用図  （ａ）前面斜視図である。（ｂ）後面斜視図である。
【図２】本考案のパネル起立補助具の展開図  （ａ）正面図である。（ｂ）背面図である。
【図３】本考案のパネル起立補助具の組立図と折り畳み図  （ａ）組立て方を示す図である。（ｂ）折り畳み方を示す図である。
【考案を実施するための形態】
【０００９】  図１は、本考案のパネル起立補助具の使用図である。
展示パネル５や写真パネル等に、本考案のパネル起立補助具を用いた図である。
本体接合面の両面テープにより展示パネル５や写真パネル等を固定してあり、接合面の上部と左右の三辺に屈曲できる折り加工を施し、左側面と右側面には差し込みスリットを数箇所設けてあり、脚面の左右と下部には差し込み突起部を形成しており、差し込み突起部を差し込みスリットに挿入して、任意の角度に設定できる。
【００１０】  図２は、本考案のパネル起立補助具の展開図である。
一枚紙を切り抜いた板紙で四つの面（接合面・左側面・右側面・脚面）で構成され、各面の配置は、接合面の上部に折り目Ａを介して脚面が、接合面の左右に折り目Ｂ・Ｃを介して左側面と右側面を配置している。
接合面には展示パネルや写真パネル等を固定するための接着機能を有し、左側面と、右側面には、組み立てたときに、左右の対応する複数の差し込みスリットを同じ高さになるように配置し、脚面の左右中央部には差し込み突起部を備え、組み立て時に差し込み突起部を挿入する左右の側面の差し込みスリットを選択することにより、接合面に接着される展示パネルや写真パネル等の起立角度を調整できるようにしたことを特徴とするパネル起立補助具である。
【００１１】  図３は、本考案のパネル起立補助具の組立図と折り畳み図で、（ａ）は組立て方を示す図である。（ｂ）は折り畳み方を示す図である。
図２（ａ）をもとに、組立て方法を示す。
展示パネル５を起立させる場合は、本体の接合面１の両面テープ１ａと１ｂの剥離紙を剥がし、接合面１を展示パネル５の裏面下部中央に貼り合わせる。
次に、折り目Ａを折り、脚面２を手前に９０度以上屈曲させてから、折り目ＢとＣを折り、左側面３と右側面４を手前に屈曲させながら、図１を例に起立させる場合は、脚面２の差し込み突起部２ａを左側面３の差し込みスリット３ｂに、脚面２の差し込み突起部２ｂを右側面４の差し込みスリット４ｂに各々差し込み。すると脚面２が固定され脚面２が足となり、展示パネルを傾斜させて起立させることができる。
展示パネルの起立角度を変える場合は、脚面２の差し込み突起部２ａと２ｂの差し込みをはずし、角度を寝かせたい場合は、左右の側面の差し込みスリット（３ａ）（４ａ）に、角度を立たせたい場合は、（３ｃ）（４ｃ）へと差し替えすると起立角度を変えることができる。
【００１２】  図２（ｂ）をもとに、折り畳み方法を示す。
非使用時に折り畳む場合は、組上がった本体の脚面２の左右の差し込み突起部（２ａ．２ｂ）を左右の側面の差し込みスリットからはずして、脚面と左右の側面を開きます、そして左右の側面を接合面へと折り畳み、次に脚面を同様に折り畳んでいきながら脚面２の差し込み突起部２ｃを接合面１の差し込みスリット１ｃへと差し込む事で、本体が展示パネル５の裏面にコンパクトに固定化して収まる。
【符号の説明】
【００１３】  １    接合面                        ３ｂ  差し込みスリット
１ａ  両面テープ                    ３ｃ  差し込みスリット
１ｂ  両面テープ                    ４    右側面
１ｃ  差し込みスリット              ４ａ  差し込みスリット
２    脚面                          ４ｂ  差し込みスリット
２ａ  差し込み突起部                ４ｃ  差し込みスリット
２ｂ  差し込み突起部                ５    展示パネル・写真パネル等
２ｃ  差し込み突起部                Ａ    折り目
３    左側面                        Ｂ    折り目
３ａ  差し込みスリット              Ｃ    折り目
【図１】
0003188974.tif 000003
【図２】
0003188974.tif 000004
【図３】
0003188974.tif 000005
【手続補正書】
【提出日】平成25年10月1日(2013.10.1)
【手続補正１】
【補正対象書類名】実用新案登録請求の範囲
【補正対象項目名】全文
【補正方法】変更
【補正の内容】
【実用新案登録請求の範囲】
【請求項１】
一枚紙を切り抜いた板紙で、接合面１と左側面３と右側面４と脚面２の四つの面で構成され、各面の配置は、接合面１の上部に折り目Ａを介して脚面２、接合面１の左右に折り目Ｂ・Ｃを介して左側面３と右側面４を配置しており、接合面１には展示パネルや写真パネルを固定するための接着機能（１ａ、１ｂ）を有し、左側面３と、右側面４には、組み立てたときに、左右の対応する複数の差し込みスリット（３ａ、３ｂ、３ｃ）、（４ａ、４ｂ、４ｃ）を同じ高さになるように配置し、脚面２の左右中央部には差し込み突起部（２ａ、２ｂ）を備え、組み立て時に差し込み突起部（２ａ、２ｂ）を挿入する左右の側面の差し込みスリット（３ａ、３ｂ、３ｃ）、（４ａ、４ｂ、４ｃ）を選択することにより、接合面１に接着される展示パネルや写真パネルの起立角度を調整できるようにしたことを特徴とするパネル起立補助具。
【請求項２】
脚面２に差し込み突起部２ｃを設け、接合面１の差し込みスリット１ｃへと差し込めるようにすることで、本体が展示パネル５の裏面にコンパクトに固定化して収まるようにしたことを特徴とする請求項１記載のパネル起立補助具。